(57)【要約】【課題】ノイズの影響を軽減した良好な画質の読取信号を得る。【解決手段】主走査方向（Ｘ方向）に沿う第１の読取ラインを有する第１のＣＣＤ１１と、第１の読取ラインに対し副走査方向に所定のライン間隔だけずれた位置に配置された第２の読取ラインを有する第２のＣＣＤ１２と、第１のＣＣＤ１１から得られる第１の信号と第２のＣＣＤ１２から得られる第２の信号との副走査方向（Ｙ方向）における位置を調整する調整手段（遅延回路２５）を備え、第１のＣＣＤ１１及び第２のＣＣＤ１２を副走査方向に移動して所定の読取ピッチで読取動作を行い、その読取動作で得られる第１のＣＣＤ１１の第１の信号と第２のＣＣＤ１２の第２の信号とを加算することで、ノイズを軽減する。【選択図】図１
2005354593.tif 000002
【特許請求の範囲】
【請求項１】
主走査方向に沿う第１の読取ラインを有する第１のＣＣＤと、前記第１の読取ラインに対し副走査方向に所定のライン間隔だけずれた位置に配置された第２の読取ラインを有する第２のＣＣＤと、前記第１のＣＣＤから得られる第１の信号と前記第２のＣＣＤから得られる第２の信号との副走査方向における位置を調整する調整手段と、加算手段を備え、
前記第１のＣＣＤ及び第２のＣＣＤを副走査方向に移動して所定の読取ピッチで読取動作を行い、その読取動作で得られる前記第１のＣＣＤの第１の信号と前記第２のＣＣＤの第２の信号とを加算して読取信号を得るように構成されていることを特徴とする画像読取装置。
【請求項２】
前記第１のＣＣＤのアナログ出力信号及び前記第２のＣＣＤのアナログ出力信号をそれぞれデジタル信号に変換するＡ／Ｄコンバータを備え、前記第１のＣＣＤから得られる第１のデジタル信号と前記第２のＣＣＤから得られる第２のデジタル信号とを加算して読取信号を得ることを特徴とする請求項１記載の画像読取装置。
【請求項３】
副走査方向の読取速度を切り替える切替手段と、読取信号の選択手段を備え、前記副走査方向の読取速度に応じて、前記加算手段にて加算された加算読取信号または前記第１のＣＣＤ及び第２のＣＣＤからの直接読取信号のいずれか一方を読取信号として選択することを特徴とする請求項１または２記載の画像読取装置。
【請求項４】
前記第１のＣＣＤ及び第２のＣＣＤの不良チャンネルを検出する検出手段と、信号選択手段を備え、前記検出手段にて不良チャンネルが検出されたときには、前記第１のＣＣＤまたは第２のＣＣＤのいずれか一方の正常なチャンネルの信号を選択することを特徴とする請求項１〜３のいずれかに記載の画像読取装置。
【請求項５】
前記第１のＣＣＤの主走査方向の読取ピッチをＰとしたとき、当該第１のＣＣＤの読取位置と前記第２のＣＣＤの読取位置とが主走査方向にＰ／２ずれており、その主走査方向にＰ／２ずれた２つの信号を加算して読取信号を得ることを特徴とする請求項１〜４のいずれかに記載の画像読取装置。
【請求項６】
前記第１のＣＣＤ及び第２のＣＣＤが同一のＩＣチップに形成されていることを特徴とする請求項１〜５のいずれかに記載の画像読取装置。
【発明の詳細な説明】
【技術分野】
【０００１】
本発明は、ＣＣＤを用いて原稿等の画像を読み取る画像読取装置に関する。
【背景技術】
【０００２】
近年、文書や図形等の画像をコンピュータ等に入力するための入力手段として、また、デジタル複合機やファクシミリさらにはプリンタの入力手段として、ＣＣＤを用いて画像を読み取る画像読取装置が広く利用されている。
【０００３】
ＣＣＤを用いた画像読取装置としては、主走査方向にＣＣＤを配列したＣＣＤラインセンサを副走査方向に移動させ、その移動過程において原稿画像面からの反射光を受光するスキャニング方式のものがある。
【０００４】
このような画像読取装置において読み取られた読取信号つまりＣＣＤの出力信号は、例えば、アンプにて増幅され、Ａ／Ｄコンバータにてデジタルデータに変換された後に画像処理回路にて画像処理が施される。そして、画像処理後の画像データが印刷部に送られ、記録用紙等の記録材に印刷処理が施される。
【０００５】
また、ＣＣＤを用いたスキャニング方式の画像読取装置において、副走査方向の移動ピッチをファインピッチ（１／２ピッチ）とし、互いに隣接する２ライン分のデータを加算して１ライン分のデータに変換することにより、読取精度を向上させて高い画像解像度を得る装置が提案されている（例えば、特許文献１参照）。
【特許文献１】特開平５−１９１５６６号公報
【発明の開示】
【発明が解決しようとする課題】
【０００６】
ところで、画像読取装置においてＣＣＤで画像を読み取った読取信号にはノイズが含まれており、そのノイズを低減して良好な画質の読取信号を得ることが要求されるが、上記した特許文献１に記載の技術は、罫線等が分断されることを防止するものであり、ノイズ対策の技術ではない。また、特許文献１に記載の技術では、良好な画質の読取信号を得るには副走査方向の読取速度を落とす必要がある。
【０００７】
本発明はこのような実情に鑑みてなされたもので、副走査方向の読取速度を落とすことなく、ノイズの影響を軽減することができ、良好な画質の読取信号を得ることが可能な画像読取装置を提供することを目的とする。
【課題を解決するための手段】
【０００８】
本発明の画像読取装置は、第１の読取ラインを有する第１のＣＣＤと、前記第１の読取ラインに対し副走査方向に所定のライン間隔（例えばｎライン）だけずれた位置に配置された第２の読取ラインを有する第２のＣＣＤと、前記第１のＣＣＤから得られる第１の信号と前記第２のＣＣＤから得られる第２の信号との副走査方向における位置を調整する調整手段（例えばｎライン遅延回路等）と、加算手段を備え、前記第１のＣＣＤ及び第２のＣＣＤを副走査方向に移動して所定の読取ピッチで読取動作を行い、その読取動作で得られる前記第１のＣＣＤの第１の信号と前記第２のＣＣＤの第２の信号とを加算して読取信号を得るように構成されていることによって特徴づけられる。
【０００９】
本発明の画像読取装置によれば、副走査方向の走査過程において、第１のＣＣＤの第１の読取ライン（主走査方向の読取ライン）が、あるライン位置（ｍライン）に位置し、次いで、走査動作が例えばｎラインピッチだけ進行したときに、上記ｍラインに第２のＣＣＤの第２の読取ラインが位置するようになるので、同一位置のｍラインについて第１のＣＣＤと第２のＣＣＤで読み取られた２つの信号を得ることができ、それら第１の信号と第２の信号とを加算することにより、ノイズの影響を約１／２に低減することができる。しかも、副走査方向の読取ピッチを小さくするのではなく、読取領域の同一位置に対して第１のＣＣＤと第２のＣＣＤによって読取動作を行って２つの読取信号を得ているので、副走査方向の読取速度を落とすことなく、ノイズを軽減した良好な画質の読取信号を得ることができる。
【００１０】
本発明の画像読取装置において、第１のＣＣＤのアナログ出力信号及び第２のＣＣＤのアナログ出力信号をそれぞれデジタル信号に変換するＡ／Ｄコンバータを設け、その第１のＣＣＤから得られる第１のデジタル信号と第２のＣＣＤから得られる第２のデジタル信号とを加算して読取信号を得るように構成することが好ましい。このように、第１のＣＣＤから得られる第１のデジタル信号と第２のＣＣＤから得られる第２のデジタル信号とをＡ／Ｄコンバータでデジタル信号に変化した後に信号処理することにより、例えばｎライン遅延などの調整処理及び加算処理を、アナログ信号で行う場合に比べて信号処理が簡単となる。
【００１１】
本発明の画像読取装置において、副走査方向の読取速度を切り替える切替手段（１倍速／２倍速の切替）と、読取信号の選択手段を設け、副走査方向の読取速度に応じて、前記加算手段にて加算された加算読取信号または第１のＣＣＤ及び第２のＣＣＤからの直接読取信号のいずれか一方を読取信号として選択するように構成してもよい。
【００１２】
この場合、例えば、第１のＣＣＤと第２のＣＣＤとのライン間隔を奇数ラインピッチ（例えば３ラインピッチ）として、読取速度が１倍速のときは加算信号を選択してノイズを低減した読取信号を出力し、また、読取速度が２倍速（例えばプレスキャノン、高速読取）のときは、１倍速と同じ電気タイミング（ＣＣＤ蓄積時間）で画像を読み取り、第１のＣＣＤ及び第２のＣＣＤからの直接読取信号を読取信号として出力することにより、ＣＣＤの蓄積時間を半減することなく２倍速の読取が可能となる。
【００１３】
本発明の画像読取装置において、第１のＣＣＤ及び第２のＣＣＤの不良チャンネルを検出する検出手段と、信号選択手段を設け、前記検出手段にて不良チャンネルが検出されたときには、第１のＣＣＤまたは第２のＣＣＤのいずれか一方の正常なチャンネルの信号を選択するように構成してもよい。この場合、例えば、第１のＣＣＤのＪチャンネルが出力が変化しているのに、第２のＣＣＤのＪチャンネルの出力が連続して変化しないときは不良と判断して、Ｊチャンネルのデータを加算信号から第１のデジタル信号に切り替えることにより画質劣化を低減できる。
【００１４】
本発明の画像読取装置において、第１のＣＣＤの主走査方向の読取ピッチをＰとしたとき、当該第１のＣＣＤの読取位置と第２のＣＣＤの読取位置とを主走査方向にＰ／２だけずらし、その主走査方向にＰ／２ずれた２つの信号を加算して読取信号を得るように構成してもよい。このように第１のＣＣＤの読取位置と第２のＣＣＤの読取位置とを主走査方向にＰ／２（Ｐ＝読取ピッチ）ずれるように配置して、それら第１のＣＣＤからの第１の信号と第２のＣＣＤからの第２の信号を加算することにより、画像読取の分解能を高めることができる。
【００１５】
本発明の画像読取装置において、第１のＣＣＤ及び第２のＣＣＤが同一のＩＣチップに形成されていることが好ましい。
【発明の効果】
【００１６】
本発明の画像読取装置によれば、主走査方向に沿う第１の読取ラインを有する第１のＣＣＤと、第１の読取ラインに対し副走査方向に所定のライン間隔だけずれた位置に配置された第２の読取ラインを有する第２のＣＣＤと、第１のＣＣＤから得られる第１の信号と第２のＣＣＤから得られる第２の信号との副走査方向における位置を調整する調整手段を備え、第１のＣＣＤ及び第２のＣＣＤを副走査方向に移動して所定の読取ピッチで読取動作を行い、その読取動作で得られる第１のＣＣＤの第１の信号と第２のＣＣＤの第２の信号とを加算して読取信号を得るように構成しているので、副走査方向の読取速度を落とすことなく、ノイズを軽減した良好な画質の読取信号を得ることができる。
【発明を実施するための最良の形態】
【００１７】
以下、本発明の実施形態を図面に基づいて説明する。
【００１８】
＜実施形態１＞
図１は本発明の画像読取装置の実施形態の構成を示すブロック図である。
【００１９】
この例の画像読取装置は、ＣＣＤが形成されたスキャナ基板１及び信号処理回路２を備えている。なお、この例の画像読取装置は、図示はしないが、スキャナ基板１を副走査方向（Ｙ方向）に移動するパルスモータ、読取原稿を照明するランプ、及び、読取原稿で反射された反射光をスキャナ基板１のＣＣＤに集光するレンズ系などを備えている。
【００２０】
スキャナ基板１には、第１の読取ラインを有する第１のＣＣＤ１１と、第２の読取ラインを有する第２のＣＣＤ１２が形成されている。第１のＣＣＤ１１の第１の読取ライン及び第２のＣＣＤ１２第２の読取ラインは主走査方向（Ｘ方向）に沿っている。また、第２のＣＣＤ１２の第２の読取ラインは、第１のＣＣＤ１１の第１の読取ラインに対し、副走査方向（Ｙ方向）にｎラインピッチ（例えば３ラインピッチ）だけずれた位置に配置されている。なお、第１のＣＣＤ１１と第２のＣＣＤ１２は同一のＩＣチップに形成されている。
【００２１】
そして、この例の画像読取装置では、第１のＣＣＤ１１及び第２のＣＣＤ１２を副走査方向に移動して一定の読取ピッチで読取動作を行い、その読取動作において第１のＣＣＤ１１で読み取られた第１の信号ＯＳ１及び第２のＣＣＤ１２で読み取られた第２の信号ＯＳ２が信号処理回路２に入力される。
【００２２】
信号処理回路２は、第１のＣＣＤ１１及び第２のＣＣＤ１２に対応して設けられたサンプルホールド回路２１，２２及びＡ／Ｄコンバータ２３，２４と、遅延回路２５と、加算器２６とを備えている。
【００２３】
遅延回路２５は、第１のＣＣＤ１１から得られる第１の信号ＯＳ１と第２のＣＣＤ１２から得られる第２の信号ＯＳ２との副走査方向における位置を調整するために設けられており、この例では、第１のＣＣＤ１１からの第１の信号ＯＳ１に３ラインピッチ分の遅延をかけて、第２のＣＣＤ１２からの第２の信号ＯＳ２とのタイミングを合わせている。そして、これら第１のＣＣＤ１１の第１の信号ＯＳ１と第２のＣＣＤ１２の第２の信号ＯＳ２の２つの信号ＯＳ１，ＯＳ２（デジタル信号）が加算器２６にて加算され、この加算信号を読取信号として画像処理回路に出力する。
【００２４】
この例の画像読取装置によれば、読取領域の同一位置（ｍライン）について第１のＣＣＤ１１と第２のＣＣＤ１２で読み取られた２つの信号を得ることができ、それら第１の信号ＯＳ１と第２の信号ＯＳ２とを加算することにより、ノイズの影響を約１／２に低減することができる。しかも、副走査方向の読取ピッチを小さくするのではなく、同一位置（ｍライン）に対して第１のＣＣＤ１１と第２のＣＣＤ１２によって読取動作を行って２つの読取信号を得ているので、副走査方向の読取速度を落とすことなく、ノイズを軽減した良好な画質の読取信号を得ることができる。
【００２５】
なお、以上の例では、第１のＣＣＤ１１からの第１の信号ＯＳ１（アナログ信号）及び第２のＣＣＤ１２からの第２の信号ＯＳ２（アナログ信号）をそれぞれＡ／Ｄ変換し、その変換後の２つの信号（デジタル信号）を加算してしているが、本発明はこれに限られることなく、第１のＣＣＤ１１からの第１の信号ＯＳ１と第２のＣＣＤ１２からの第２の信号ＯＳ２とをアナログ信号のままで信号処理するようにしてもよい。
【００２６】
＜実施形態２＞
図２は本発明の画像読取装置の他の実施形態の構成を示すブロック図である。
【００２７】
この例では、図１に示す画像読取装置において、副走査方向（Ｘ方向）の読取速度を１倍速モードまたは２倍速モードのいずれか一方に選択的に切り替えることが可能な速度切替手段３を設けている点、及び、第１のＣＣＤ１１及び第２のＣＣＤ１２に不良チャンネルがあるか否かを検出の不良チャンネル検出手段４と信号選択手段５を信号処理回路２０に設けている点に特徴がある。その具体的な構成を以下に説明する。
【００２８】
−不良チャンネルの検出について−
第１のＣＣＤ１１及び第２のＣＣＤ１２の不良チャンネルの検出動作の具体的な処理を図３を参照しながら説明する。
【００２９】
まず、スキャナ基板１を白板位置に移動し、ランプを消灯した状態で第１のＣＣＤ１１及び第２のＣＣＤ１２の読取データを採取する（ステップＳＴ１〜ＳＴ３）。
【００３０】
データ採取が完了した後、第１のＣＣＤ１１の全てのチャンネルの読取データが「黒」であるか否かを判断する（ステップＳＴ４）。第１のＣＣＤ１１の全てのチャンネルの読取データが「黒」であるときにはステップＳＴ５に進む。第１のＣＣＤ１１にチャンネル不良がある場合、ステップＳＴ１０に進んで、不良チャンネル（Ｊチャンネル）を特定する。
【００３１】
ステップＳＴ５において、第２のＣＣＤ１２の全てのチャンネルの読取データが「黒」であるか否かを判断し、第２のＣＣＤ１２の全てのチャンネルの読取データが「黒」であるときにはステップＳＴ６に進む。第２のＣＣＤ１２にチャンネル不良がある場合、ステップＳＴ１１に進んで、不良チャンネル（Ｊチャンネル）を特定する。
【００３２】
次に、ランプを点灯した状態で第１のＣＣＤ１１及び第２のＣＣＤ１２の読取データを採取する（ステップＳＴ６〜ＳＴ７）。
【００３３】
データ採取が完了した後、第１のＣＣＤ１１の全てのチャンネルの読取データが「白」であるか否かを判断する（ステップＳＴ８）。第１のＣＣＤ１１の全てのチャンネルの読取データが「白」であるときにはステップＳＴ９に進む。第１のＣＣＤ１１にチャンネル不良がある場合、ステップＳＴ１２に進んで、不良チャンネル（Ｊチャンネル）を特定する。
【００３４】
ステップＳＴ９において、第２のＣＣＤ１２の全てのチャンネルの読取データが「白」であるか否かを判断し、第２のＣＣＤ１２の全てのチャンネルの読取データが「白」であるときには処理を完了する。第２のＣＣＤ１２にチャンネル不良がある場合、ステップＳＴ１３に進んで、不良チャンネル（Ｊチャンネル）を特定する。
【００３５】
−読取速度の切替と信号選択について−
次に、読取速度の切替動作と信号選択動作の具体的な処理を図４を参照しながら説明する。
【００３６】
まず、第１のＣＣＤ１１及び第２のＣＣＤ１２にチャンネル不良があるか否か検出する（ステップＳＴ２１）。チャンネル不良の検出は前記した図３の処理にて実行する。
【００３７】
ステップＳ２１において、チャンネル不良がない場合は、読取速度の設定モードが１倍速モードであるのか、２倍速モードであるのかを判断し（ステップＳ２２）、読取速度が１倍速モードであるときには、スキャナ基板１のパルスモータを１倍速で駆動し（ステップＳＴ２３）、第１のＣＣＤ１１及び第２のＣＣＤ１２にて原稿画像を蓄積時間ＴＣで読み取る（ステップＳＴ２４）。
【００３８】
次に、ステップＳＴ２５及びＳＴ２６へと進むが、この読取動作ではチャネル不良がないので、ステップＳＴ２３及びＳＴ２４の処理にて読み取られた信号つまり第１のＣＣＤ１１の第１の信号ＯＳ１（デジタル信号）と第２のＣＣＤ１２の第２の信号（デジタル信号）とを加算して読取信号を得る。以上の動作を読取が完了するまで実行する（ステップＳＴ２７）。
【００３９】
また、読取速度の設定モードが２倍速モードであるときには、スキャナ基板１のパルスモータを２倍速で駆動し（ステップＳＴ２９）、第１のＣＣＤ１１及び第２のＣＣＤ１２にて原稿画像を蓄積時間ＴＣ（１倍速のときと同じ蓄積時間）で読み取り（ステップＳＴ３０）、それら第１のＣＣＤ１１の第１の信号（デジタル信号）及び第２のＣＣＤ１２の第２の信号（デジタル信号）を読取信号として選択して画像処理回路に出力する（ステップＳＴ３１）。
【００４０】
一方、第１のＣＣＤ１１または第２のＣＣＤ１２にチャンネル不良がある場合（ステップＳＴ２１）、１倍速モードの読取動作を行って第１のＣＣＤ１１による第１の信号（デジタル信号）及び第２のＣＣＤ１２による第２の信号（デジタル信号）を得る（ステップＳＴ２３及びＳＴ２４）。
【００４１】
ここで、チャネル不良がある場合に、そのチャンネル不良が第１のＣＣＤ１１のＪチャンネルであるときは、第１のＣＣＤ１１のＪチャンネルの読取データを、第２のＣＣＤ１２のＪチャンネルの読取データ（正常な信号）に置き換えてＪチャンネルの読取信号とする。その他のチャンネルについては、第１のＣＣＤ１１の第１の信号と第２のＣＣＤ１２の第２の信号とを加算して読取信号とするという処理を実行する（ステップＳＴ３２）。
【００４２】
また、チャネル不良がある場合に、そのチャンネル不良が第２のＣＣＤ１２のＪチャンネルであるときは、第２のＣＣＤ１２のＪチャンネルの読取データを、第１のＣＣＤ１１のＪチャンネルの読取データ（正常な信号）に置き換えて、Ｊチャンネルの読取信号とする。その他のチャンネルについては、第１のＣＣＤ１１の第１の信号と第２のＣＣＤ１２の第２の信号とを加算して読取信号とするという処理を実行する（ステップＳＴ３３）。
【００４３】
＜実施形態３＞
図５は本発明の画像読取装置の実施形態の概略構成を示す図である。
【００４４】
この例の画像読取装置は、ＣＣＤが形成されたスキャナ基板１０及び信号処理回路２を備えている。なお、この例の画像読取装置は、図示はしないが、スキャナ基板１０を副走査方向（Ｙ方向）に移動するパルスモータ、読取原稿を照明する照明系、及び、読取原稿で反射された反射光をスキャナ基板１０のＣＣＤに集光するレンズ系などを備えている。
【００４５】
スキャナ基板１０には、第１の読取ラインを有する第１のＣＣＤ１１と、第２の読取ラインを有する第２のＣＣＤ１２が形成されている。
【００４６】
第１のＣＣＤ１１の第１の読取ライン及び第２のＣＣＤ１２第２の読取ラインは主走査方向（Ｘ方向）に沿っている。また、第２のＣＣＤ１２の第２の読取ラインは、第１のＣＣＤ１１の第１の読取ラインに対し、副走査方向（Ｙ方向）にｎラインピッチ（例えば３ラインピッチ）だけずれた位置に配置されている。さらに、第１のＣＣＤ１１の主走査方向（Ｘ方向）の読取ピッチをＰとしたとき、第１のＣＣＤ１１の読取位置と第２のＣＣＤ１２の読取位置とが主走査方向にＰ／２ずれるように配置されている。なお、第１のＣＣＤ１１と第２のＣＣＤ１２は同一のＩＣチップに形成されている。
【００４７】
そして、この例の画像読取装置では、第１のＣＣＤ１１及び第２のＣＣＤ１２を副走査方向に移動して一定の読取ピッチで読取動作を行い、その読取動作において第１のＣＣＤ１１で読み取られた第１の信号ＯＳ１及び第２のＣＣＤ１２で読み取られた第２の信号ＯＳ２が信号処理回路２に入力される。
【００４８】
信号処理回路２は、第１のＣＣＤ１１及び第２のＣＣＤ１２に対応して設けられたサンプルホールド回路２１，２２及びＡ／Ｄコンバータ２３，２４と、遅延回路２５と、加算器２６とを備えている。
【００４９】
遅延回路２５は、第１のＣＣＤ１１から得られる第１の信号ＯＳ１と第２のＣＣＤ１２から得られる第２の信号ＯＳ２との副走査方向における位置を調整するために設けられており、この例では、第１のＣＣＤ１１からの第１の信号ＯＳ１に３ラインピッチ分の遅延をかけて、第２のＣＣＤ１２からの第２の信号ＯＳ２とのタイミングを合わせている。そして、これら第１のＣＣＤ１１の第１の信号ＯＳ１と第２のＣＣＤ１２の第２の信号ＯＳ２の２つの信号ＯＳ１，ＯＳ２（デジタル信号）が加算器２６にて加算され、この加算信号を読取信号として出力する。
【００５０】
この例の画像読取装置によれば、読取領域の同一位置（ｍライン）について第１のＣＣＤ１１と第２のＣＣＤ１２で読み取られた２つの信号を得ることができ、それら第１の信号ＯＳ１と第２の信号ＯＳ２とを加算することにより、ノイズの影響を約１／２に低減することができる。しかも、副走査方向の読取ピッチを小さくするのではなく、同一位置（ｍライン）に対して第１のＣＣＤ１１と第２のＣＣＤ１２によって読取動作を行って２つの読取信号を得ているので、副走査方向の読取速度を落とすことなく、ノイズを軽減した良好な画質の読取信号を得ることができる。
【００５１】
さらに、この例の画像読取装置によれば、第１のＣＣＤ１１の読取位置と第２のＣＣＤ１２の読取位置とが主走査方向にＰ／２（Ｐ＝読取ピッチ）ずれるように配置しているので、それら第１のＣＣＤ１１からの第１の信号ＯＳ１と第２のＣＣＤ１２からの第２の信号ＯＳ２を加算することにより、読取処理の分解能を高めることができる。
【００５２】
なお、以上の例では、第１のＣＣＤ１１からの第１の信号ＯＳ１（アナログ信号）及び第２のＣＣＤ１２からの第２の信号ＯＳ２（アナログ信号）をそれぞれＡ／Ｄ変換し、その変換後の２つの信号（デジタル信号）を加算してしているが、本発明はこれに限られることなく、第１のＣＣＤ１１からの第１の信号ＯＳ１と第２のＣＣＤ１２からの第２の信号ＯＳ２とをアナログ信号のままで加算するようにしてもよい。
【産業上の利用可能性】
【００５３】
本発明は、ＣＣＤを用いて画像を読み取る画像読取装置において、副走査方向の読取速度を落とすことなく、ノイズを軽減した良好な画質の読取信号を得るのに有効に利用することができる。
【図面の簡単な説明】
【００５４】
【図１】本発明の画像読取装置の実施形態の構成を示すブロック図である。
【図２】本発明の画像読取装置の他の実施形態の構成を示すブロック図である。
【図３】図２の画像読取装置においてＣＣＤのチャンネル不良を検出する際の動作内容を示すフローチャートである。
【図４】図２の画像読取装置の動作内容を示すフローチャートである。
【図５】本発明の画像読取装置の別の実施形態の構成を示すブロック図である。
【符号の説明】
【００５５】
１  スキャナ基板
１１  第１のＣＣＤ
ＯＳ１  第１の信号
１２  第２のＣＣＤ
ＯＳ２  第２の信号
２  信号処理回路
２１，２２  サンプルホールド回路
２３，２４  Ａ／Ｄコンバータ
２５  遅延回路
２６  加算器
３  速度切替手段
４  不良チャンネル検出手段
５  信号選択手段
【図１】
2005354593.tif 000003
【図２】
2005354593.tif 000004
【図３】
2005354593.tif 000005
【図４】
2005354593.tif 000006
【図５】
2005354593.tif 000007